(57)【要約】【課題】光カバー部に発生する発光ムラを軽減することができる光源ユニット、及び照明器具を提供する。【解決手段】光源ユニットＵ２は、取付体に取り付けられるベース部材１１に着脱可能である。光源ユニットＵ２は、光源２２と、光カバー部８０とを備える。光源２２は、光を出射する。光カバー部８０は、光源２２の出射した光が透過する。光源２２が、光カバー部８０の内部Ｄに対向すると共に、光カバー部８０の外部に配置される。光源ユニットＵ２がベース部材１１に装着された状態で、光源２２がベース部材１１の内部に配置されることが好ましい。【選択図】図３
2018206729.tif 000002
【特許請求の範囲】
【請求項１】
取付体に取り付けられるベース部材に着脱可能な光源ユニットであって、
光を出射する光源と、
前記光が透過する光カバー部と
を備え、
前記光源が、前記光カバー部の内部に対向すると共に、前記光カバー部の外部に配置される、光源ユニット。
【請求項２】
前記光源ユニットが前記ベース部材に装着された状態で、前記光源が前記ベース部材の内部に配置される、請求項１に記載の光源ユニット。
【請求項３】
前記光源を実装する実装部材と、
前記実装部材を保持する保持部材と
をさらに備え、
前記保持部材が、前記光カバー部の外部に配置される、請求項１又は請求項２に記載の光源ユニット。
【請求項４】
請求項１〜請求項３のいずれか１項に記載の光源ユニットと、
前記ベース部材と
を備える照明器具。
【発明の詳細な説明】
【技術分野】
【０００１】
本発明は、光源ユニット、及び照明器具に関する。
【背景技術】
【０００２】
図８（ａ）〜図８（ｃ）を参照して、特許文献１に記載の照明装置１００について説明する。図８（ａ）は、照明装置１００の模式図である。図８（ｂ）は、図８（ａ）に示す拡散カバー１１０をＷ１方向から見た図である。図８（ｃ）は、図８（ａ）に示す拡散カバー１１０をＷ２方向から見た図である。図８（ａ）に示すように、照明装置１００は、拡散カバー１１０と、反射板１２０と、ＬＥＤ１３０とを備える。拡散カバー１１０の内部には、ＬＥＤ１３０が配置される。反射板１２０の内部には、電源部が配置される。拡散カバー１１０は、反射板１２０に着脱可能である。拡散カバー１１０は、ＬＥＤ１３０が出射した光Ｌを透過させて放出する。
【先行技術文献】
【特許文献】
【０００３】
【特許文献１】特開２０１５−００２１６１号公報
【発明の概要】
【発明が解決しようとする課題】
【０００４】
しかし、図８（ａ）、及び図８（ｂ）に示すように、例えば、ＬＥＤ１３０から出射した光Ｌは、ＬＥＤ１３０から略１２０度の角度で広がりながら進行する。従って、拡散カバー１１０の内部にＬＥＤ１３０を配置すると、ＬＥＤ１３０から出射した光Ｌが拡散カバー１１０の側部の上側に到達しにくいおそれがある。理由は、ＬＥＤ１３０と拡散カバー１１０との距離が近く、ＬＥＤ１３０から出射した光が十分に広がらないうちに拡散カバー１１０に到達するからである。この場合、拡散カバー１１０の上部で光Ｌの透過量が低減する。従って、拡散カバー１１０の上部には、暗部Ｚ１が発生する。暗部Ｚ１は、拡散カバー１１０のうち光Ｌが十分に到達する箇所（明部Ｚ２）に比べて、暗い箇所である。従って、暗部Ｚ１が発生することで、拡散カバー１１０の上部に、発光ムラが発生する。発光ムラは、拡散カバー１１０の外面に暗部Ｚ１と明部Ｚ２とのコントラストが発生することである。
【０００５】
また、図８（ａ）、及び図８（ｃ）に示すように、ＬＥＤ１３０と拡散カバー１１０の下部との距離Ｖが短いと、拡散カバー１１０の下部に暗部Ｚ３が発生する。具体的には、拡散カバー１１０をＷ２方向（下方）から見て、拡散カバー１１０のうち隣り合うＬＥＤ１３０の間に位置する箇所に、暗部Ｚ３が発生する。暗部Ｚ３は、以下の理由により発生する。一般に、ＬＥＤ１３０が下方に光を出射する際、ＬＥＤ１３０の真下よりもＬＥＤ１３０の真下の周囲が暗くなる。つまり、ＬＥＤ１３０の真下が最も明るくなる。また、ＬＥＤの直下照度はＬＥＤから照射面までの距離に反比例するため、ＬＥＤ１３０の真下の明るさと、ＬＥＤ１３０の真下の周囲の明るさとの差は、光軸方向においてＬＥＤ１３０に近い場所程大きくなる。従って、ＬＥＤ１３０と拡散カバー１１０の下部との距離Ｖが短いと、ＬＥＤ１３０の真下の明るさと、ＬＥＤ１３０の真下の周囲の明るさとの差が大きくなり、拡散カバー１１０の下部に暗部Ｚ３が発生する。その結果、拡散カバー１１０の下部に、発光ムラが発生する。
【０００６】
拡散カバー１１０に発光ムラが発生すると、発光状態における拡散カバー１１０の美観が損なわれるおそれがある。特に、拡散カバー１１０が頻繁に人目に触れる場所（例えば、店舗内の商品売り場、及び住居内のリビングルーム）では、発光ムラが軽減した外観が美しい照明器具を設置したいとの要望がある。発光ムラを軽減するとは、暗部Ｚ１の明るさを明部Ｚ２の明るさに近づけること、及び／又は、拡散カバー（光カバー部）１１０の外面のうち暗部Ｚ１の占める領域を小さくすることを示す。
【０００７】
本発明は、上記課題に鑑みてなされたものであり、光カバー部に発生する発光ムラを軽減することができる光源ユニット、及び照明器具を提供することを目的としている。
【課題を解決するための手段】
【０００８】
本願に開示する光源ユニットは、取付体に取り付けられるベース部材に着脱可能である。光源ユニットは、光源と、光カバー部とを備える。光源は、光を出射する。光カバー部は、前記光が透過する。前記光源が、前記光カバー部の内部に対向すると共に、前記光カバー部の外部に配置される。
【０００９】
本願に開示する光源ユニットにおいて、前記光源ユニットが前記ベース部材に装着された状態で、前記光源が前記ベース部材の内部に配置されることが好ましい。
【００１０】
本願に開示する光源ユニットは、実装部材と、保持部材とをさらに備えることが好ましい。実装部材は、前記光源を実装することが好ましい。保持部材は、前記実装部材を保持することが好ましい。前記保持部材が、前記光カバー部の外部に配置されることが好ましい。
【００１１】
本願に開示する照明器具は、上記光源ユニットと、上記ベース部材とを備える。
【発明の効果】
【００１２】
本発明によれば、光カバー部に発生する発光ムラを軽減することができる。
【図面の簡単な説明】
【００１３】
【図１】本発明の実施形態に係る照明器具を示す斜視図。
【図２】照明器具を示す分解斜視図。
【図３】照明器具の断面図。
【図４】カバー部材の断面図。
【図５】装着部材を示す分解斜視図。
【図６】保持部材を示す断面図。
【図７】照明器具１の一部を示す断面図。
【図８】（ａ）一般的な照明器具を示す模式図、（ｂ）図８（ａ）に示す拡散カバーをＷ１方向から見た図、（ｃ）図８（ａ）に示す拡散カバーをＷ２方向から見た図。
【発明を実施するための形態】
【００１４】
以下、本発明の実施形態について、図面を参照しながら説明する。なお、図中、同一又は相当部分については同一の参照符号を付して説明を繰り返さない。
【００１５】
図１及び図２を参照して、照明器具１について説明する。図１は、照明器具１を示す斜視図である。図２は、照明器具１を示す分解斜視図である。
【００１６】
図１及び図２に示すように、照明器具１は、例えば、直接照明である。照明器具１は光を出射する。照明器具１は第１方向Ｐに沿って延びる。第１方向Ｐは、照明器具１の長手方向を示す。具体的には、照明器具１は、ベースユニットＵ１と、光源ユニットＵ２とを備える。
【００１７】
ベースユニットＵ１は、ベース部材１１と、第１閉塞部材１２と、電源部１３とを含む。
【００１８】
ベース部材１１は、電源部１３及び光源ユニットＵ２の放熱性を考慮し、例えば、金属製である。ベース部材１１は、第１方向Ｐに沿って延びる。ベース部材１１は、第１ベース部１１ａと、第２ベース部１１ｂと、第３ベース部１１ｃとを有する。第１ベース部１１ａと、第２ベース部１１ｂと、第３ベース部１１ｃとは、それぞれ、例えば、略平板形状を有する。第１ベース部１１ａと、第２ベース部１１ｂとは、第２方向Ｑに沿って互いに間隔を空けつつ対向している。第２方向Ｑは、第１方向Ｐに対し垂直な方向である。第１ベース部１１ａと第２ベース部１１ｂとの間には、第３ベース部１１ｃが介在している。
【００１９】
ベース部材１１は、光源ユニットＵ２を取付体に設置するための部材である。取付体は、建造物の部屋の天井面のような照明器具１を支持可能な部材である。ベース部材１１は、取付体に取り付けられる。本実施形態では、ベース部材１１のうち、第３ベース部１１ｃが、取付体に取り付けられる。
【００２０】
第１閉塞部材１２は、ベース部材１１の第１方向Ｐの端部に配置される。第１閉塞部材１２は、ベース部材１１の第１方向Ｐの端部を閉塞する。本実施形態では、第１閉塞部材１２は、ベース部材１１に着脱可能である。第１閉塞部材１２は、一対設けられる。一対の第１閉塞部材１２は、それぞれ、例えば、略平板形状を有し、平面視略矩形形状を有する。一対の第１閉塞部材１２のうち１つは、ベース部材１１のうち第１方向Ｐの一側Ｐ１の端部に配置され、ベース部材１１の一側の端部を閉塞する。一対の第１閉塞部材１２のうち他の１つは、ベース部材１１のうち第１方向Ｐの他側Ｐ２の端部に配置され、ベース部材１１の他側の端部を閉塞する。一対の第１閉塞部材１２とベース部材１１とは、別部材であってもよく、一体成形されていてもよい。
【００２１】
ベース部材１１の内部Ｃは空洞である。ベース部材１１の内部Ｃは、ベース部材１１の内面で囲まれた空間である。具体的には、ベース部材１１の内部Ｃは、第１ベース部１１ａと第２ベース部１１ｂとで挟まれた空間である。
【００２２】
第１方向Ｐに対し垂直であり、かつ、第２方向Ｑに対し垂直な方向を第３方向Ｒと記載する。
【００２３】
ベース部材１１の内部Ｃのうち第１方向Ｐの一側Ｐ１は、一対の第１閉塞部材１２のうち１つで閉塞される。ベース部材１１の内部Ｃのうち第１方向Ｐの他側Ｐ２は、一対の第１閉塞部材１２のうちの他の１つで閉塞される。ベース部材１１の内部Ｃのうち第２方向Ｑの一側Ｑ１は、第１ベース部１１ａで閉塞される。ベース部材１１の内部Ｃのうち第２方向Ｑの他側Ｑ２は、第２ベース部１１ｂで閉塞される。ベース部材１１の内部Ｃのうち第３方向Ｒの一側Ｒ１は、第３ベース部１１ｃで閉塞される。ベース部材１１の内部Ｃのうち第３方向Ｒの他側Ｒ２は、開放されている。その結果、ベース部材１１の内部Ｃのうち第３方向Ｒの他側Ｒ２は、ベース部材１１の外部と連通している。ベース部材１１の外部は、ベース部材１１の内部Ｃの外側に位置する空間を示す。
【００２４】
電源部１３は、光源ユニットＵ２に電力を供給する。電源部１３は、ベース部材１１の内部Ｃに配置される。なお、電源部１３をベース部材１１の内部Ｃに配置せず、ベース部材１１の外部に配置してもよい。
【００２５】
光源ユニットＵ２は、第１方向Ｐに沿って延びる。具体的には、光源ユニットＵ２は、発光モジュール２０と、カバー部材３０と、第２閉塞部材４０と、保持部材５０と、取付部材６０と、装着部材７０とを含む。
【００２６】
光源ユニットＵ２は、ベース部材１１に着脱可能である。つまり、光源ユニットＵ２は、ベース部材１１と別体であり、ベース部材１１に対し着脱可能とするための構成を有する。本実施形態では、光源ユニットＵ２は、取付部材６０によってベース部材１１に対し着脱可能に構成される。
【００２７】
発光モジュール２０は、光を出射する。発光モジュール２０は、例えば、ＬＥＤ（Ｌｉｇｈｔ  Ｅｍｉｔｔｉｎｇ  Ｄｉｏｄｅ）モジュールである。発光モジュール２０は、第１方向Ｐに沿って延びる。具体的には、発光モジュール２０は、実装部材２１と、単数又は複数の光源２２とを含む。実装部材２１は、例えば、基板である。実装部材２１は、例えば、略平板形状を有する。実装部材２１は、第１方向Ｐに沿って延びる。実装部材２１には、単数又は複数の光源２２が実装される。本実施形態では、実装部材２１には、複数の光源２２が実装される。本実施形態では、複数の光源２２は、第１方向Ｐに沿って１列に並ぶ。複数の光源２２は、それぞれ、発光する。複数の光源２２は、それぞれ、例えば、ＬＥＤのような発光素子である。具体的には、複数の光源２２は、それぞれ、例えば、ＳＭＤ（ｓｕｒｆａｃｅ  ｍｏｕｎｔ  ｄｅｖｉｃｅ）素子である。ＳＭＤからなる光源２２は、例えば、略直方体に形成され、周囲六面のうち一つの面（実装部材２１に対向する面の裏側の面）から光が出射する。本実施形態では、実装部材２１に対向する面は、光源取付面２２ｂ（図３）である。また、本実施形態では、実装部材２１に対向する面の裏側の面は、発光面２２ａ（図３）である。なお、複数の光源２２は、それぞれ、ＣＯＢ（ｃｈｉｐ  ｏｎ  ｂｏａｒｄ）素子でもよい。
【００２８】
保持部材５０は、実装部材２１を保持する。保持部材５０は、略長尺形状を有する。保持部材５０は、第１方向Ｐに沿って延びる。つまり、第１方向Ｐは、保持部材５０の長手方向を示す。保持部材５０は、例えば、金属製（例えば、アルミニウム製）である。
【００２９】
カバー部材３０は、光カバー部８０と、進入部９０とを有する。
【００３０】
光カバー部８０は、複数の光源２２が出射した光を透過する。光カバー部８０は、例えば、複数の光源２２が出射した光を拡散する。
【００３１】
光カバー部８０は、例えば、合成樹脂製である。光カバー部８０は、例えば、白色半透明であってもよい。光カバー部８０は、例えば、光拡散材料を含有した樹脂を成形することによって形成してもよいし、透明材料で成形した後に表面に光拡散処理を施して形成してもよい。
【００３２】
光カバー部８０は、第１方向Ｐに沿って延びる。光カバー部８０は、第１カバー部８０ａと、第２カバー部８０ｂと、第３カバー部８０ｃとを有する。第１カバー部８０ａと、第２カバー部８０ｂと、第３カバー部８０ｃとは、それぞれ、例えば、略平板形状を有する。第１カバー部８０ａと、第２カバー部８０ｂとは、第２方向Ｑに沿って互いに間隔を空けつつ対向している。第１カバー部８０ａと第２カバー部８０ｂとの間には、第３カバー部８０ｃが介在している。
【００３３】
光カバー部８０の内部Ｄは空洞である。光カバー部８０の内部Ｄは、光カバー部８０の内面で囲まれた空間である。具体的には、光カバー部８０の内部Ｄは、第１カバー部８０ａと第２カバー部８０ｂとで挟まれた空間である。
【００３４】
光カバー部８０は、複数の光源２２が出射した光を透過させて光カバー部８０の外部に放出する。光カバー部８０の外部は、光カバー部８０の内部Ｄの外側に位置する空間を示す。
【００３５】
進入部９０は、光カバー部８０に連結される。進入部９０は、第１方向Ｐに沿って延びる。進入部９０は、ベース部材１１の内部Ｃに進入可能である。
【００３６】
第２閉塞部材４０は、光カバー部８０の第１方向Ｐの端部に配置される。第２閉塞部材４０は、光カバー部８０の第１方向Ｐの端部を閉塞する。本実施形態では、第２閉塞部材４０は、光カバー部８０に着脱可能である。第２閉塞部材４０は、一対設けられる。一対の第２閉塞部材４０は、それぞれ、例えば、略平板形状を有し、平面視略矩形形状を有する。例えば、一対の第２閉塞部材４０は、それぞれ、溶着によって光カバー部８０に接合される。なお、一対の第２閉塞部材４０は、それぞれ、接着剤によって光カバー部８０に接合されていてもよい。一対の第２閉塞部材４０のうち１つは、光カバー部８０のうち第１方向Ｐの一側Ｐ１の端部に配置され、光カバー部８０の一側Ｐ１の端部を閉塞する。一対の第１閉塞部材１２のうち他の１つは、ベース部材１１のうち第１方向Ｐの他側Ｐ２の端部に配置され、ベース部材１１の他側の端部を閉塞する。一対の第２閉塞部材４０とベース部材１１とは、別部材であってもよく、一体成形されていてもよい。
【００３７】
光カバー部８０の内部Ｄのうち第１方向Ｐの一側Ｐ１は、一対の第２閉塞部材４０のうち１つで閉塞される。光カバー部８０の内部Ｄのうち第１方向Ｐの他側Ｐ２は、一対の第２閉塞部材４０のうちの他の１つで閉塞される。光カバー部８０の内部Ｄのうち第２方向Ｑの一側Ｑ１は、第１カバー部８０ａで閉塞される。光カバー部８０の内部Ｄのうち第２方向Ｑの他側Ｑ２は、第２カバー部８０ｂで閉塞される。光カバー部８０の内部Ｄのうち第３方向Ｒの他側Ｒ２は、第３カバー部８０ｃで閉塞される。光カバー部８０の内部Ｄのうち第３方向Ｒの一側Ｒ１は、開放されている。
【００３８】
次に、図３、及び図４を参照して、照明器具１についてさらに説明する。図３は、図１に示すＩＩＩ−ＩＩＩ線に沿った照明器具１の断面図である。図４は、図３の一部拡大図であり、カバー部材３０の断面図である。
【００３９】
図３、及び図４に示すように、ベース部材１１は、例えば、断面視略Ｕ字形状を有する。ベース部材１１には、第１開口１４が形成される。第１開口１４は、ベース部材１１のうち第３方向Ｒの他側Ｒ２の端部に位置する。第１開口１４は、第１端部１１ｄと、第２端部１１ｅとの間の領域である。第１端部１１ｄは、第１ベース部１１ａのうち第３方向Ｒの他側Ｒ２の端部である。第２端部１１ｅは、第２ベース部１１ｂのうち第３方向Ｒの他側Ｒ２の端部である。第１開口１４は、ベース部材１１の内部Ｃと、ベース部材１１の外部とを連通する。
【００４０】
光カバー部８０は、例えば、断面視略Ｕ字形状を有する。光カバー部８０は、複数の光源２２を覆う。光カバー部８０は、複数の光源２２に対し第３方向Ｒの他側Ｒ２に位置する。従って、光カバー部８０は、第３方向Ｒの他側Ｒ２から複数の光源２２を覆う。
【００４１】
光カバー部８０には、第２開口８１が形成される。第２開口８１は、光カバー部８０の内部Ｄと外部とを連通する。第２開口８１は、光カバー部８０のうち第３方向Ｒの一側Ｒ１の端部に位置する。第２開口８１は、第３端部８０ｄと、第４端部８０ｅとの間の領域である。第３端部８０ｄは、第１カバー部８０ａのうち第３方向Ｒの一側Ｒ１の端部である。第４端部８０ｅは、第２カバー部８０ｂのうち第３方向Ｒの一側Ｒ１の端部である。第２開口８１は、光カバー部８０の内部Ｄと、光カバー部８０の外部とを連通する。
【００４２】
光カバー部８０の第２方向Ｑの寸法α１は、ベース部材１１の第２方向Ｑの寸法α２と略等しい（α１≒α２）。寸法α１は、具体的には、第３端部８０ｄの外側部から第４端部８０ｅの外側部までの寸法を示す。寸法α２は、具体的には、第１端部１１ｄの外側部から第２端部１１ｅの外側部までの寸法を示す。従って、ベース部材１１に光源ユニットＵ２を装着する際、第３端部８０ｄが第１端部１１ｄに接触し、第４端部８０ｅが第２端部１１ｅに接触する。その結果、光カバー部８０がベース部材１１の内部Ｃに進入することが規制される。つまり、光カバー部８０は、ベース部材１１の内部Ｃに進入不能に形成される。
【００４３】
進入部９０は、光カバー部８０に連結される。進入部９０は、光カバー部８０から光カバー部８０の外部に突出する。具体的には、進入部９０は、第２開口８１の縁部に連結される。そして、進入部９０は、第２開口８１の縁部から光カバー部８０の外部に突出する。
【００４４】
進入部９０は、本実施形態では、光カバー部８０と一体成形される。従って、進入部９０と、光カバー部８０とが、同じ材料で構成される。
なお、進入部９０を、光カバー部８０と別体で構成し、進入部９０を光カバー部８０に固定してもよい。この場合、進入部９０と光カバー部８０とを異なる材料で構成してもよい。例えば、光カバー部８０については、光が透過する材料で構成するのに対し、進入部９０については、光が透過しない材料で構成する。つまり、光カバー部８０と進入部９０とのうち、少なくとも、光カバー部８０が光を透過すればよい。
【００４５】
進入部９０は、ベース部材１１の内部Ｃに進入可能である。従って、進入部９０は、ベース部材１１の内部Ｃに進入する。具体的には、進入部９０は、第１開口１４を介してベース部材１１の内部Ｃに進入する。
【００４６】
進入部９０は、第１進入体９１と、第２進入体９２とを有する。第１進入体９１と第２進入体９２とは、互いに間隔を空けて配置される。第１進入体９１と第２進入体９２とは、第２方向Ｑに沿って互いに間隔を空けつつ対向している。
【００４７】
第１進入体９１と第２進入体９２とは、中心軸βを中心に互いに対称な形状を有している。中心軸βは、光カバー部８０のうち第２方向Ｑの中央部を通りつつ、第３方向Ｒに沿って延びる。
【００４８】
第１進入体９１は、第１基端部９３ａと、第１先端部９４ａとを有する。第２進入体９２は、第２基端部９３ｂと、第２先端部９４ｂとを有する。
第１進入体９１と第２進入体９２とは、それぞれ、光カバー部８０に連続して設けられる。具体的には、第１進入体９１の第１基端部９３ａは、第１カバー部８０ａの第３端部８０ｄに連続して設けられる。また、第２進入体９２の第２基端部９３ｂは、第２カバー部８０ｂの第４端部８０ｅに連続して設けられる。
【００４９】
第１進入体９１と第２進入体９２とは、光カバー部８０から光カバー部８０の外部へ突出する。
第１進入体９１と第２進入体９２とは、第１カバー部８０ａから離間する程、互いに近接する。第１進入体９１と第２進入体９２とは、それぞれ、複数個所で略直角に曲がる形状を有する。従って、第１進入体９１と第２進入体９２とは、第１カバー部８０ａから離間する程、互いに段階的に近接する。
第１進入体９１の第１先端部９４ａと、第２進入体９２の第２先端部９４ｂとは、それぞれ、第２方向Ｑに沿いつつ中心軸βに向けて突出する。
【００５０】
進入部９０の第２方向Ｑの最大寸法α３は、第１開口１４の第２方向Ｑの寸法α４よりも小さい（α３＜α４）。最大寸法α３は、具体的には、第１基端部９３ａの外側部から、第２基端部９３ｂの外側部までの寸法を示す。従って、進入部９０（第１進入体９１と第２進入体９２）は、ベース部材１１の内部Ｃに進入可能に形成される。
【００５１】
第１進入体９１と第２進入体９２との間には、空所Ｅが形成される。空所Ｅは、光カバー部８０の外部に配置される。空所Ｅは、光カバー部８０の内部Ｄと連通する。具体的には、空所Ｅは、第２開口８１を介して光カバー部８０の内部Ｄと連通する。空所Ｅには、複数の光源２２が配置される。また、空所Ｅには、実装部材２１が配置される。
【００５２】
保持部材５０は、光カバー部８０の外部に配置される。
保持部材５０は、進入部９０に取り付けられる。保持部材５０が進入部９０に取り付けられるとは、例えば、（ａ）保持部材５０が進入部９０に着脱可能に取り付けられること、（ｂ）保持部材５０が進入部９０に固定されること、又は、（ｃ）保持部材５０と進入部９０とが一体成形されることを意味する。本実施形態では、保持部材５０は、進入部９０に着脱可能に取り付けられる。
【００５３】
保持部材５０は、進入部９０に係合する。保持部材５０は、進入部９０により、スライド可能に支持される。具体的には、保持部材５０は、進入部９０により、第１方向Ｐにスライド可能に支持される。従って、保持部材５０を進入部９０に対し、係合させつつスライドさせることで、保持部材５０を進入部９０に対し、着脱することができる。
【００５４】
保持部材５０は、第１保持部５１と、第２保持部５２と、取付面５３とを有する。
【００５５】
第１保持部５１は、進入部９０に対応して設けられ、進入部９０に係合する。第１保持部５１は、第１保持体５１ａと、第２保持体５１ｂとを有する。第１保持体５１ａは、保持部材５０のうち第２方向Ｑの一側Ｑ１に形成される。第２保持体５１ｂは、保持部材５０のうち第２方向Ｑの他側Ｑ２に形成される。
【００５６】
第１保持体５１ａは、第１進入体９１の第１先端部９４ａに沿った屈曲形状を有する。従って、第１保持体５１ａに第１進入体９１の第１先端部９４ａを嵌め込むことができる。また、第２保持体５１ｂは、第２進入体９２の第２先端部９４ｂに沿った屈曲形状を有する。従って、第２保持体５１ｂに第２進入体９２の第２先端部９４ｂを嵌め込むことができる。
【００５７】
第１保持体５１ａに第１進入体９１の第１先端部９４ａを嵌め込むと共に、第２保持体５１ｂに第２進入体９２の第２先端部９４ｂを嵌め込むことで、保持部材５０が進入部９０に係合する。その結果、保持部材５０が、進入部９０に取り付けられる。
つまり、進入部９０は、互いに間隔を空けて配置される第１進入体９１と第２進入体９２とを有し、第１進入体９１と第２進入体９２とに保持部材５０が取り付けられる。
【００５８】
進入部９０は、保持部材５０を、第１方向Ｐに沿ってスライド可能に支持する。従って、保持部材５０を進入部９０に対し、第１方向Ｐに沿ってスライドさせることができる。
保持部材５０が第１方向Ｐに沿ってスライドし、進入部９０から離間すると、保持部材５０と進入部９０との係合が解除される。その結果、保持部材５０が進入部９０から取り外される。
【００５９】
第２保持部５２は、実装部材２１に対応して設けられ、実装部材２１に係合する。第１保持部５１が進入部９０に係合した状態で、保持部材５０のうち光カバー部８０の内部Ｄと対向する面に、第２保持部５２が形成される。第２保持部５２は、第３保持体５２ａと、第４保持体５２ｂとを有する。第３保持体５２ａは、保持部材５０のうち第２方向Ｑの一側Ｑ１に形成される。第４保持体５２ｂは、保持部材５０のうち第２方向Ｑの他側Ｑ２に形成される。
【００６０】
第３保持体５２ａは、実装部材２１のうち第２方向Ｑの一側Ｑ１の第５端部２１ａに沿った屈曲形状を有する。従って、第３保持体５２ａに実装部材２１の第５端部２１ａを嵌め込むことができる。また、第４保持体５２ｂは、実装部材２１のうち第２方向Ｑの他側Ｑ２の第６端部２１ｂに沿った屈曲形状を有する。従って、第４保持体５２ｂに実装部材２１の第６端部２１ｂを嵌め込むことができる。
【００６１】
第３保持体５２ａに実装部材２１の第５端部２１ａを嵌め込むと共に、第４保持体５２ｂに実装部材２１の第６端部２１ｂを嵌め込むことで、実装部材２１が保持部材５０に係合する。その結果、実装部材２１は、保持部材５０に取り付けられ、保持部材５０により保持される。
【００６２】
保持部材５０は、実装部材２１を第１方向Ｐに沿ってスライド可能に支持する。従って、実装部材２１を保持部材５０に対し、第１方向Ｐに沿ってスライドさせることができる。
実装部材２１が第１方向Ｐに沿ってスライドし、保持部材５０から離間すると、実装部材２１と保持部材５０との係合が解除される。その結果、実装部材２１が保持部材５０から取り外される。
【００６３】
以下、複数の光源２２のうちの１つについて説明する。理由は、本実施形態では、複数の光源２２は、互いに同様の構成を有するからである。
光源２２は、発光面２２ａと、光源取付面２２ｂと、側面２２ｃとを有する。光源取付面２２ｂは、光源２２のうち実装部材２１に対向する面である。従って、光源２２の光源取付面２２ｂが、実装部材２１に取り付けられる。
発光面２２ａは、光源取付面２２ｂの裏側に配置される。側面２２ｃは、発光面２２ａと光源取付面２２ｂとの間に配置される。
発光面２２ａは、光源２２のうち光を出射する面である。従って、本実施形態の光源２２は、発光面２２ａと、光源取付面２２ｂと、側面２２ｃとのうち、発光面２２ａから光を出射する。
光源２２は、光カバー部８０の内部Ｄに対向すると共に、光カバー部８０の外部に配置される。具体的には、光源２２の発光面２２ａは、光カバー部８０の内部Ｄに対向すると共に、光カバー部８０の外部に配置される。従って、光源２２は、発光面２２ａから光カバー部８０の内部Ｄに光を出射する。その結果、光カバー部８０の内部Ｄに出射された光は、光カバー部８０を透過し、光カバー部８０の外部へ放出される。
本実施形態では、具体的には、光源２２の発光面２２ａは、第２開口８１を介して光カバー部８０の内部Ｄに対向する。そして、光源２２は、第２開口８１を介して、発光面２２ａから光カバー部８０の内部Ｄに光を出射する。
【００６４】
取付面５３は、保持部材５０のうち、第２保持部５２が形成される面に対する裏側の面である。
【００６５】
取付部材６０は、保持部材５０に取り付けられる。具体的には、取付部材６０は、保持部材５０の取付面５３に取り付けられる。取付部材６０は、弾性を有し、金属製（例えば、ステンレス製）である。
【００６６】
進入部９０がベース部材１１の内部Ｃに進入した状態で、取付部材６０が、ベース部材１１に固定される。具体的には、進入部９０がベース部材１１の内部Ｃに進入した状態で、取付部材６０の弾性によって、取付部材６０がベース部材１１の内面に圧着する。その結果、ベース部材１１に光源ユニットＵ２が装着される。
【００６７】
ベース部材１１に光源ユニットＵ２が装着されると、光源ユニットＵ２がベース部材１１により保持される。その結果、光源ユニットＵ２が、ベース部材１１を介して取付体に取り付けられ、取付体に設置される。
【００６８】
ベース部材１１に光源ユニットＵ２が装着された状態から、光源ユニットＵ２を引っ張り、光源ユニットＵ２をベース部材１１から引き外すことができる。つまり、取付部材６０の弾性力からベース部材１１を解放することで、光源ユニットＵ２をベース部材１１から引き外すことができる。
【００６９】
以上、図３及び図４を参照して説明したように、複数の光源２２が、光カバー部８０の内部Ｄに対向すると共に、光カバー部８０の外部に配置される。具体的には、複数の光源２２の各々の発光面２２ａが、光カバー部８０の内部Ｄに対向すると共に、光カバー部８０の外部に配置される。従って、複数の光源２２を光カバー部８０から離間させて配置し、複数の光源２２が出射した光を、光カバー部８０の広範囲の領域に到達させることができる。つまり、複数の光源２２の各々の発光面２２ａから所定角度（例えば、１２０度）で広がりながら進行する光を、光カバー部８０の内部Ｄに進入させて、光カバー部８０の第１カバー部８０ａ及び第２カバー部８０ｂの上端付近まで到達させることができる。その結果、光カバー部８０のほぼ全体を発光させることができ、光カバー部８０に発生する発光ムラを軽減することが可能となる。
【００７０】
また、保持部材５０は、複数の光源２２を実装する実装部材２１を保持する。そして、保持部材５０は、光カバー部８０の外部に配置される。従って、複数の光源２２が光カバー部８０の外部に配置される。その結果、光カバー部８０に発生する発光ムラを軽減することが可能となる。
【００７１】
また、保持部材５０は、光カバー部８０の外部に配置される。従って、光カバー部８０の内部Ｃが閉塞されている状態で、保持部材５０に対し実装部材２１を着脱する作業を円滑に行うことができる。つまり、光カバー部８０に一対の第２閉塞部材４０が取り付けられた状態で、保持部材５０に対し実装部材２１を着脱する作業を円滑に行うことができる。その結果、光源ユニットＵ２の組立性を向上させることができる。
【００７２】
続いて、図３を参照して、ベース部材１１に装着時の光源ユニットＵ２について説明する。
【００７３】
図３に示すように、ベース部材１１に光源ユニットＵ２が装着された状態で、光カバー部８０が、ベース部材１１の外部に配置される。
【００７４】
ベース部材１１に光源ユニットＵ２が装着された状態で、進入部９０（第１進入体９１と第２進入体９２）が、ベース部材１１の内部Ｃに配置される。
【００７５】
ベース部材１１に光源ユニットＵ２が装着された状態で、保持部材５０が、ベース部材１１の内部Ｃに配置される。
【００７６】
ベース部材１１に光源ユニットＵ２が装着された状態で、実装部材２１が、ベース部材１１の内部Ｃに配置される。
【００７７】
ベース部材１１に光源ユニットＵ２が装着された状態で、空所Ｅが、ベース部材１１の内部Ｃに配置される。ベース部材１１に光源ユニットＵ２が装着された状態で、光カバー部８０の内部Ｄが、ベース部材１１の外部に配置される。
【００７８】
ベース部材１１に光源ユニットＵ２が装着された状態で、複数の光源２２は、光カバー部８０の内部Ｄに対向すると共に、光カバー部８０の外部に配置される。ベース部材１１に光源ユニットＵ２が装着された状態で、複数の光源２２は、ベース部材１１の内部Ｃに配置される。ベース部材１１に光源ユニットＵ２が装着された状態で、複数の光源２２は、それぞれ、中心軸βに交わるように配置される。
【００７９】
以上、図３を参照して説明したように、複数の光源２２は、ベース部材１１の内部Ｃに配置される。従って、複数の光源２２を光カバー部８０から離間させて配置し、光カバー部８０に発生する発光ムラを軽減することが可能となる。
【００８０】
また、複数の光源２２をベース部材１１の内部Ｃに配置することで、複数の光源２２と、光カバー部８０の下部（第３カバー部８０ｃ）との距離を増加させることができる。従って、光カバー部８０の下部において、光源２２の真下の明るさと、光源２２の真下の周囲の明るさとの差を小さくすることができる。その結果、光カバー部８０を下方から見て、光カバー部８０のうち隣り合う光源２２の間に位置する箇所に暗部が発生することを抑制することができ、光カバー部８０の下部に発生する発光ムラを軽減することができる。
【００８１】
次に図５〜図７を参照して、装着部材７０について説明する。図５は、装着部材７０を示す分解斜視図である。
【００８２】
図５に示すように、装着部材７０は、保持部材５０の第１方向Ｐの端部５０ａに装着される。装着部材７０は、例えば、合成樹脂製である。装着部材７０は、例えば、弾性変形可能である。装着部材７０は、本体部７１と、第１係合部７２と、第２係合部７３と、接触部７４とを有する。本体部７１には、第１係合部７２と、第２係合部７３と、接触部７４とが連結される。本実施形態では、本体部７１と、第１係合部７２と、第２係合部７３と、接触部７４とは、一体成形される。本体部７１は、略平板形状を有する。第１係合部７２と第２係合部７３とは、第２方向Ｑに沿って互いに間隔を空けて対向配置される。第１係合部７２と第２係合部７３とは、それぞれ、第１方向Ｐに沿って本体部７１から突出する。
【００８３】
図６は、図３の一部拡大図であり、保持部材５０を示す断面図である。
図５及び図６に示すように、第１係合部７２は、第１保持体５１ａと第３保持体５２ａとで囲まれた空間Ｆ１に対応した形状を有する。第１係合部７２は、空間Ｆ１に嵌入する。また、第２係合部７３は、第２保持体５１ｂと第４保持体５２ｂとで囲まれた空間Ｆ２に対応した形状を有する。第２係合部７３は、空間Ｆ２に嵌入する。第１係合部７２が空間Ｆ１に嵌入すると共に、第２係合部７３が空間Ｆ２に嵌入することで、装着部材７０が保持部材５０に装着される。
【００８４】
図７は、照明器具１の一部を示す断面図である。具体的には、図７は、図１に示す照明器具１の中央部を第１方向Ｐに平行、かつ、第３方向Ｒに平行に切断した断面図である。
図７は、装着部材７０が保持部材５０に装着された状態を示す。図７に示すように、接触部７４は、第２閉塞部材４０に接触する。従って、装着部材７０は、保持部材５０と第２閉塞部材４０とで第１方向Ｐの両側から挟まれている。その結果、装着部材７０が保持部材５０に装着された状態を保持することができる。
【００８５】
また、装着部材７０は、実装部材２１に対し第１方向Ｐに対向する。すなわち、装着部材７０は、実装部材２１の第１方向Ｐの端部に対向する。その結果、保持部材５０に対し実装部材２１をスライドさせながら装着する際、実装部材２１を装着部材７０に接触させ、実装部材２１を狙った位置で停止させることができる。つまり、実装部材２１がスライドしすぎて、実装部材２１から抜け落ちることを防ぐことができる。その結果、保持部材５０に実装部材２１を円滑に装着することができ、光源ユニットＵ２の組立性を向上させることができる。
【００８６】
本実施形態では、装着部材７０は、一対設けられる。一対の装着部材７０のうち１つは、保持部材５０のうち第１方向Ｐの一側Ｐ１の端部に装着される。一対の装着部材７０のうち他の１つは、保持部材５０のうち第１方向Ｐの他側Ｐ２の端部５０ａに装着される。その結果、一対の装着部材７０は、第１方向Ｐの両側から保持部材５０と実装部材２１とを挟持し、保持部材５０と実装部材２１とを保持することができる。
【００８７】
以上、図面（図１〜図７）を参照しながら本発明の実施形態について説明した。但し、本発明は、上記の実施形態に限られるものではなく、その要旨を逸脱しない範囲で種々の態様において実施することが可能である（例えば、下記に示す（１）〜（２））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００８８】
（１）本実施形態では、実装部材２１を保持する保持部材５０が、進入部９０に設けられる。そして、実装部材２１と光カバー部８０とが、取付部材６０を介してベース部材１１に着脱可能に構成される。しかし、本発明はこれに限定されない。実装部材２１を保持する保持部が、ベース部材１１に設けられてもよい。この場合、実装部材２１が、保持部を介してベース部材１１に着脱可能に構成される。そして、光カバー部８０が、取付部材６０を介してベース部材１１に着脱可能に構成される。その結果、実装部材２１（光源２２）を光カバー部８０とは独立させてベース部材１１に着脱することが可能となる。
【００８９】
（２）本実施形態では、複数の光源２２が、第１方向Ｐに沿って１列に並ぶ。しかし、本発明はこれに限定されない。複数の光源２２が、第１方向Ｐに沿って複数列で並んでいてもよい。しかし、本実施形態のように複数の光源２２を１列に並べる方が、光源２２の個数を減らすことができ、光源ユニットＵ２の製造コスト、及びランニングコストを削減できる点で有利である。
【００９０】
また、複数の光源２２を複数列に並べると、複数の光源２２が、光カバー部８０の側部（第１カバー部８０ａ、及び／又は、第２カバー部８０ｂ）に近接するおそれがある。これに対し、本実施形態のように、複数の光源２２を第１方向Ｐに沿って１列に並べると共に、複数の光源２２を、それぞれ、中心軸β上に配置することで、複数の光源２２が光カバー部８０の側部に近接することを抑制できる。その結果、光カバー部８０の側部に、複数の光源２２の暗部が生じることを効果的に抑制することができる。
【産業上の利用可能性】
【００９１】
本発明は、光源ユニット、及び照明器具を提供するものであり、産業上の利用可能性を有する。
【符号の説明】
【００９２】
１１  ベース部材
２１  実装部材
２２  光源
５０  保持部材
７０  装着部材
８０  光カバー部
９０  進入部
Ｕ２  光源ユニット
【図１】
2018206729.tif 000003
【図２】
2018206729.tif 000004
【図３】
2018206729.tif 000005
【図４】
2018206729.tif 000006
【図５】
2018206729.tif 000007
【図６】
2018206729.tif 000008
【図７】
2018206729.tif 000009
【図８】
2018206729.tif 000010